(57)【要約】【課題】      デジタル放送の番組を記録する場合に、個々の番組に対する編集等の作業を容易に実現することが可能なデジタル放送記録システム等を提案する。【解決手段】  デジタル放送記録システム１は、放送局３が放送したデジタル放送の番組を記録する。放送受信部２１は、デジタル放送の番組に含まれるＴＳパケットを順に受信する。分割部２３は、一個又は複数個のＴＳパケットを分割パケットとする。暗号化部４３は、分割パケットを暗号化して暗号化分割パケットとする。記録部４５は、管理情報を対応付けて暗号化分割パケットを記憶する。編集部５１は、編集装置１７からの指示に従って各暗号化分割パケットに対応する管理情報を編集することにより、暗号化された状態で番組編集を実現する。番組再生時には、復号部４７は、管理情報において有効とされた暗号化分割パケットを復号し、再生装置１５により再生される。【選択図】  図１
2015109616.tif 000002
【特許請求の範囲】
【請求項１】
デジタル放送の番組を記録するデジタル放送記録システムであって、
前記デジタル放送の番組に含まれるパケットを順に受信する放送受信手段と、
前記番組の一部である一個又は複数個のパケットを分割パケットとする分割手段と、
前記分割パケットを暗号化して暗号化分割パケットとする暗号化手段と、
前記暗号化分割パケットを記憶する記憶手段と、
前記記憶手段に記憶された前記暗号化分割パケットを復号して再生パケットとする復号手段と、
前記再生パケットを再生する再生手段を備えるデジタル放送記録システム。
【請求項２】
前記記憶手段は、前記暗号化分割パケットのそれぞれに対応して管理情報を記憶し、
前記各管理情報には、前記各暗号化分割パケットが有効か無効かを示す編集情報が含まれており、
前記管理情報における有効と無効の情報を編集する編集手段を備え、
前記復号手段は、前記編集情報において有効とされる前記暗号化分割パケットを復号し、無効とされる前記暗号化分割パケットを復号しない、請求項１記載のデジタル放送記録システム。
【請求項３】
前記分割パケットは、個々に再生して乱れが生じないものであり、
前記分割手段は、前記各分割パケットに、ＰＣＲを一つ又は複数含ませる、請求項１又は２に記載のデジタル放送記録システム。
【請求項４】
表示手段に前記記憶手段に含まれるコンテンツを表示させる表示制御手段を備え、
前記分割手段は、前記デジタル放送の一つの番組に含まれるパケットを複数の分割パケットとするものであり、
前記表示制御手段は、前記表示手段に対して、前記記憶手段に記憶された前記一つの番組に含まれる前記複数の暗号化分割パケットを、一つのコンテンツとして表示させる、請求項１から３のいずれかに記載のデジタル放送記録システム。
【請求項５】
ネットワークに接続し、デジタル放送を記憶するネットワークアクセス記憶装置であって、
前記デジタル放送における一個又は複数個のパケットを含む分割パケットを順に受信するＮＡＳ受信手段と、
前記各分割パケットを暗号化して暗号化分割パケットとする暗号化手段と、
前記暗号化分割パケットを記憶する記憶手段と、
前記記憶手段に記憶された前記暗号化分割パケットを復号して再生パケットとする復号手段と、
前記再生パケットを送信するＮＡＳ送信手段を備えるネットワークアクセス記憶装置。
【請求項６】
前記各分割パケットは、前記デジタル放送の一つの番組に含まれるパケットの一部を含むものであり、
前記記憶手段が前記デジタル放送における一つの番組に含まれる一部の暗号化分割パケットを記憶し、当該番組の残りの暗号化分割パケットを記憶していない状態で、前記復号手段が、前記記憶手段に記憶された当該番組に含まれる前記暗号化分割パケットを復号し、前記送信手段が前記再生パケットを送信する、請求項５記載のネットワークアクセス記憶装置。
【請求項７】
デジタル放送を受信する放送受信装置であって、
前記デジタル放送の一つの番組に含まれるパケットを順に受信する放送受信手段と、
前記受信手段が受信したパケットのうち、前記一つの番組の一部である複数個を順にまとめて分割パケットとする分割手段を備える放送受信装置。
【請求項８】
デジタル放送を記録するデジタル放送記録方法であって、
分割手段が、前記デジタル放送の一つの番組に含まれる１個又は複数個のパケットを含む分割パケットを生成するステップと、
記憶手段が、前記一つの番組に含まれる複数の分割パケットをそれぞれファイル化して一つのコンテンツとして記憶するステップを含むデジタル放送記録方法。
【請求項９】
コンピュータを、
デジタル放送の一つの番組に含まれる１個又は複数個のパケットを含む分割パケットを暗号化して暗号化分割パケットとする暗号化手段と、
前記暗号化分割パケットを記憶する記憶手段として機能させるためのプログラム。
【発明の詳細な説明】
【技術分野】
【０００１】
本発明は、デジタル放送記録システム、ネットワークアクセス記憶装置、放送受信装置、デジタル放送記録方法及びプログラムに関し、特に、デジタル放送の番組を記録するデジタル放送記録システム等に関する。
【背景技術】
【０００２】
特許文献１には、イベント（番組）単位でファイルを生成して記録装置に記録することにより、イベント単位での編集作業を行うことを可能とすることが記載されている。番組編集は、例えば特許文献２にあるように、チャプター分割等を行って録画することにより、容易にすることが行われている。
【０００３】
また、特許文献３には、ＩＰ放送の全チャンネル録画を簡潔な構成で実現するために、ＩＰパケットを一定時間等で切り出して時刻情報を付加して受信イメージブロックを生成し、これを格納エリア管理番号順に従って格納し、読み出す際には、受信イメージブロックから視聴チャネルのＩＰパケットを切り出し、ＴＳパケットを順次取り出すものが記載されている。
【先行技術文献】
【特許文献】
【０００４】
【特許文献１】特開２００３−１９９００７号公報
【特許文献２】特開２０１１−２２３４７１号公報
【特許文献３】特開２００８−１７３２８号公報
【発明の概要】
【発明が解決しようとする課題】
【０００５】
しかしながら、デジタル放送の番組は、通常、特許文献１にあるように、番組を単位としてファイル化されている。そして、例えばＣＭカットなどの編集をする場合には、特許文献２にあるようなチャプター分割等を利用して、ファイルの内容を変更することにより実現している。ファイルの内容を変更する必要があるため、デジタル放送の番組を格納するファイルが暗号化されていれば、これを平文にして編集することが必要となる。そのため、セキュリティ上の問題が生じることになる。
【０００６】
また、特許文献３は、複数チャンネル分のＩＰパケットを時系列に含むＩＰストリームをそのまま格納するものである。特許文献３は、放送された番組を放送されたままで再生することに特化することにより、簡潔な構成でＩＰ放送の全チャンネル録画を実現できるものである。複数チャンネル分のＩＰパケットを時系列に含むＩＰストリームをそのまま格納するため、個々の番組に対して編集作業を行うことは困難である。
【０００７】
そこで、本願発明は、デジタル放送の番組を記録する場合に、個々の番組に対する編集等の作業を容易に実現することが可能なデジタル放送記録システム等を提案することを目的とする。
【課題を解決するための手段】
【０００８】
本願発明の第１の観点は、デジタル放送の番組を記録するデジタル放送記録システムであって、前記デジタル放送の番組に含まれるパケットを順に受信する放送受信手段と、前記番組の一部である一個又は複数個のパケットを分割パケットとする分割手段と、前記分割パケットを暗号化して暗号化分割パケットとする暗号化手段と、前記暗号化分割パケットを記憶する記憶手段と、前記記憶手段に記憶された前記暗号化分割パケットを復号して再生パケットとする復号手段と、前記再生パケットを再生する再生手段を備えるものである。
【０００９】
本願発明の第２の観点は、第１の観点のデジタル放送記録システムであって、前記記憶手段は、前記暗号化分割パケットのそれぞれに対応して管理情報を記憶し、前記各管理情報には、前記各暗号化分割パケットが有効か無効かを示す編集情報が含まれており、前記管理情報における有効と無効の情報を編集する編集手段を備え、前記復号手段は、前記編集情報において有効とされる前記暗号化分割パケットを復号し、無効とされる前記暗号化分割パケットを復号しないものである。
【００１０】
本願発明の第３の観点は、第１又は第２の観点のデジタル放送記録システムであって、前記分割パケットは、個々に再生して乱れが生じないものであり、前記分割手段は、前記各分割パケットに、ＰＣＲを一つ又は複数含ませるものである。
【００１１】
本願発明の第４の観点は、第１から第３のいずれかの観点のデジタル放送記録システムであって、表示手段に前記記憶手段に含まれるコンテンツを表示させる表示制御手段を備え、前記分割手段は、前記デジタル放送の一つの番組に含まれるパケットを複数の分割パケットとするものであり、前記表示制御手段は、前記表示手段に対して、前記記憶手段に記憶された前記一つの番組に含まれる前記複数の暗号化分割パケットを、一つのコンテンツとして表示させるものである。
【００１２】
本願発明の第５の観点は、ネットワークに接続し、デジタル放送を記憶するネットワークアクセス記憶装置であって、前記デジタル放送における一個又は複数個のパケットを含む分割パケットを順に受信するＮＡＳ受信手段と、前記各分割パケットを暗号化して暗号化分割パケットとする暗号化手段と、前記暗号化分割パケットを記憶する記憶手段と、前記記憶手段に記憶された前記暗号化分割パケットを復号して再生パケットとする復号手段と、前記再生パケットを送信するＮＡＳ送信手段を備えるものである。
【００１３】
本願発明の第６の観点は、第５の観点のネットワークアクセス記憶装置であって、前記各分割パケットは、前記デジタル放送の一つの番組に含まれるパケットの一部を含むものであり、前記記憶手段が前記デジタル放送における一つの番組に含まれる一部の暗号化分割パケットを記憶し、当該番組の残りの暗号化分割パケットを記憶していない状態で、前記復号手段が、前記記憶手段に記憶された当該番組に含まれる前記暗号化分割パケットを復号し、前記送信手段が前記再生パケットを送信する。
【００１４】
本願発明の第７の観点は、デジタル放送を受信する放送受信装置であって、前記デジタル放送の一つの番組に含まれるパケットを順に受信する放送受信手段と、前記受信手段が受信したパケットのうち、前記一つの番組の一部である複数個を順にまとめて分割パケットとする分割手段を備えるものである。
【００１５】
本願発明の第８の観点は、デジタル放送を記録するデジタル放送記録方法であって、分割手段が、前記デジタル放送の一つの番組に含まれる１個又は複数個のパケットを含む分割パケットを生成するステップと、記憶手段が、前記一つの番組に含まれる複数の分割パケットをそれぞれファイル化して一つのコンテンツとして記憶するステップを含むものである。
【００１６】
本願発明の第９の観点は、コンピュータを、デジタル放送の一つの番組に含まれる１個又は複数個のパケットを含む分割パケットを暗号化して暗号化分割パケットとする暗号化手段と、前記暗号化分割パケットを記憶する記憶手段として機能させるためのプログラムである。
【００１７】
なお、本願発明を、第９の観点のプログラムを定常的に記憶するコンピュータ読み取り可能な記録媒体として捉えてもよい。
【００１８】
また、編集手段は、無効とされた暗号化分割パケットを消去し、有効である暗号化分割パケットのみで、新たなコンテンツとしてもよい。これは、例えば、利用者の指示に基づいて行ってもよく、また、定期的に行ってもよい。
【発明の効果】
【００１９】
本願発明の各観点によれば、一つの番組を複数の分割パケットとし、記憶手段は、分割パケットを単位としてファイル化して記録することが可能となる。記憶手段は、これらの分割パケットは、一つのコンテンツとして管理する。これにより、視聴者からは、デジタル放送された番組を単位として視聴することが可能となり、また、編集等の作業は、個々の分割パケットを単位として実現することが可能となる。例えば、第２の観点によれば、個々の分割パケットの有効と無効を管理することにより、ＣＭカット等を実現することが可能になる。個々の分割パケットの内容を変更する必要がないため、耐タンパ性を低下させることなく暗号化した状態で編集を実現することができる。また、第５の観点にあるように、個々の分割パケットを単位として記録や再生をすることにより、ネットワーク上の記憶装置に記憶する場合でも、番組としては放送中であっても、既に放送された部分の分割パケットについて、ネットワーク上の機器で再生することが可能になる。このように、ネットワーク上の記憶装置を使用した疑似的なライブ配信を実現することが可能となる。
【００２０】
さらに、本願発明の第３の観点によれば、分割パケットを、個々に再生しても乱れないものとすることにより、編集や再生等の単位とすることに適したものとなる。さらに、ＰＣＲを基準とすることにより、必要以上に細かな単位とする必要がなくなる。
【図面の簡単な説明】
【００２１】
【図１】本願発明の実施の形態に係るデジタル放送記録システムの構成の概要の一例を示すブロック図である。
【図２】図１の放送受信装置１１がデジタル放送を受信して分割パケットを生成する処理の一例を示すフロー図である。
【図３】図２の分割パケットの生成処理の一例の概要を示す図である。
【図４】図１のＮＡＳ１３が分割パケットを受信して記録する処理及び分割されていないパケットを受信して記録する処理の一例を示すフロー図である。
【図５】番組再生時における図１の再生装置１５の動作の一例を示す図である。
【図６】番組再生時における図１のＮＡＳ１３の動作の一例を示す図である。
【図７】番組編集時における図１の編集装置１７及びＮＡＳ１３の動作の一例を示すフロー図である。
【図８】図１における編集と再生の概要の一例を示す図である。
【発明を実施するための形態】
【００２２】
以下では、図面を参照して、本願発明の実施例について説明する。なお、本願発明は、この実施例に限定されるものではない。
【実施例１】
【００２３】
図１は、本願発明の実施の形態に係るデジタル放送記録システムの構成の概要の一例を示すブロック図である。デジタル放送記録システム１は、放送局３が放送したデジタル放送を受信し、番組を記録するものである。なお、以下では、テレビ放送を録画する場合を例に説明する。デジタル放送記録システム１は、再生用表示装置５や編集用表示装置７に記録した番組を表示する。
【００２４】
デジタル放送記録システム１は、放送受信装置１１（本願請求項の「放送受信装置」の一例）と、放送録画装置１２と、ネットワークアクセス記憶装置（ＮＡＳ）１３（本願請求項の「ネットワークアクセス記憶装置」の一例）と、再生装置１５と、編集装置１７を備える。放送受信装置１１、ネットワークアクセス記憶装置（ＮＡＳ）１３、再生装置１５、及び、編集装置１７は、ネットワークで接続され、互いに通信をすることができる。例えば、放送受信装置１１とＮＡＳ１３は、家庭内のローカルネットワークに接続し、再生装置１５や編集装置１７は、グローバルネットワークに接続して、外出先で番組を再生したり編集したりしてもよい。
【００２５】
放送受信装置１１は、放送局３が放送するデジタル放送を受信する。放送受信装置１１は、放送受信部２１（本願請求項の「放送受信手段」の一例）と、分割部２３（本願請求項の「分割手段」の一例）と、ＢＣ通信部２５を備える。
【００２６】
放送録画装置１２は、従来の録画装置のように、放送局３が放送するデジタル放送を受信し、番組を録画するものである。放送録画装置１２は、ＲＥ放送受信部２６と、録画部２７と、ＲＥ通信部２８を備える。ＲＥ放送受信部２６は、放送局３のデジタル放送を受信する。録画部２７は、ユーザーの操作に従い、ＲＥ放送受信部２６が受信したデジタル放送を録画する。録画部２７は、従来と同様に、１つの番組を１つのファイルとする。ＲＥ通信部２８は、ユーザーの指示により、録画部２７に記録された番組ファイルをＮＡＳ１３に送信する。
【００２７】
放送受信装置１１は、ＮＡＳ１３へ、受信中の番組に関するデータをコピーではなくムーブにより次々と転送する（以下、「ムーブ配信」という。）。ＮＡＳ１３に蓄積されたデータは、放送受信装置１１には記憶されていない。これにより、後述のような疑似ライブ配信を実現することができる。また、放送録画装置１２は、従来の録画装置のように一つの番組を一つのファイルとして録画し、ＮＡＳ１３へ転送する。ＮＡＳ１３で、ファイルを分割して管理することにより、編集に適したものとなる。
【００２８】
ＮＡＳ１３は、デジタル放送の番組を記録する。ＮＡＳ１３は、ＮＡＳ受信部４１（本願請求項の「ＮＡＳ受信手段」の一例）と、暗号化部４３（本願請求項の「暗号化手段」の一例）と、記憶部４５（本願請求項の「記憶手段」の一例）と、復号部４７（本願請求項の「復号手段」の一例）と、ＮＡＳ送信部４９（本願請求項の「ＮＡＳ送信手段」の一例）と、編集部５１（本願請求項の「編集手段」の一例）と、管理情報管理部５３を備える。
【００２９】
再生装置１５は、ＮＡＳ１３に記録されている番組を再生するためのものである。再生装置１５は、再生受信部３１と、再生部３３（本願請求項の「再生手段」の一例）と、再生表示制御部３５（本願請求項の「表示制御手段」の一例）と、再生送信部３７と、再生入力部３９を備える。再生用表示装置５が備える再生表示部６３（本願請求項の「表示手段」の一例）には、ＮＡＳ１３が記憶する番組が表示され、視聴者が番組を指定すると、指定された番組が再生される。視聴者は、再生時に、早送り等の指示をしてもよい。
【００３０】
編集装置１７は、ＮＡＳ１３に記録されている番組を編集するためのものである。編集装置１７は、編集送信部５５と、編集受信部５７と、編集表示制御部５９（本願請求項の「表示制御手段」の一例）と、編集入力部６１を備える。番組は、編集用表示装置７が備える編集表示部６５（本願請求項の「表示手段」の一例）に表示される。利用者は、例えば、ＣＭカット等の編集指示を行う場合には、番組内の再生しない部分を指定する。
【００３１】
まず、図２、３及び４を参照して、図１のデジタル放送記録システム１が番組を記憶する処理の一例を説明する。
【００３２】
図２を参照して、図１の放送受信装置１１がデジタル放送を受信する場合の動作の一例を示す。図２は、図１の放送受信装置１１がデジタル放送を受信して分割パケットを生成する処理の一例を示すフロー図である。
【００３３】
番組を記録する場合、放送受信部２１は、放送局３が放送したデジタル放送のＴＳパケットを受信する（ステップＳＴＳＲ１）。
【００３４】
分割部２３は、ムーブ配信の終了が要求されたか否かを判断する（ステップＳＴＳＲ２）。ムーブ配信の終了が要求された場合には、処理を終了する。ムーブ配信の終了が要求されていない場合、再生の単位か否かを判断する（ステップＳＴＳＲ３）。例えばフラグを参照して、次のＴＳパケットから再生しても映像が乱れないか否かを判断する。再生の単位でなければステップＳＴＳＲ１に戻る。再生の単位であれば、ＰＣＲを含むＴＳパケットの個数が所定の個数以上であるか否かを判断する（ステップＳＴＳＲ４）。所定の個数未満であればステップＳＴＳＲ１に戻る。所定の個数以上である場合、前回分割パケットを生成してから受信したＴＳパケットをまとめて分割パケットとし、分割パケットを録画する（ステップＳＴＳＲ５）。そして、ＢＣ通信部２５は、分割パケットをＮＡＳ１３に送信する。例えばＤＴＬＡで規格されているようにしてムーブのコミットメント処理を行い（ステップＳＴＳＲ７）、分割パケットファイルを削除する（ステップＳＴＳＲ８）。このとき、ＮＡＳ１３が記憶したデータは放送受信装置１１には残されていない状態とするため、これは、ムーブによるデータ送信となる。コミットメントが成功したか否かを判断する（ステップＳＴＳＲ９）。成功していればステップＳＴＳＲ１に戻り、成功しなければ終了する。ここで、ＢＣ通信部２５は、例えば、一時的に蓄積しておき、ＤＴＣＰ−ＩＰ規格等を用いて暗号化（ネットワーク暗号化）した状態で、分割パケットを送信してもよい。
【００３５】
図３は、図２の分割パケットの生成処理の一例の概要を示す図である。図３では、説明の簡素化のために、各ＴＳパケットから再生しても乱れないものであると仮定する。ＰＣＲ（Program  Clock  Reference）は、送信機と受信機の時刻同期をするためのものである。図３の上部にあるように、ＴＳパケットには、ＰＣＲが含まれているものと含まれていないものが存在する。放送受信装置１１の分割部２３は、ＰＣＲが含まれているＴＳパケットの個数を数え、一定個数（図３では、５個）になれば、分割パケットを生成する。この処理を繰り返すことにより、分割パケットを次々と生成する。
【００３６】
続いて、図４を参照して、図１のＮＡＳ１３がデジタル放送を記録する場合の動作の一例を示す。図４は、図１のＮＡＳ１３が分割パケットを受信して記録する処理及び分割されていないパケットを受信した場合、ＮＡＳ１３にて分割処理する一例を示すフロー図である。
【００３７】
ＮＡＳ１３は、番組に関するデータとして分割パケットを受信したか番組ファイルを受信したかを判断する（ステップＳＴＳＳ１）。放送受信装置１１から分割パケットを受信した場合、ステップＳＴＳＳ２〜７の処理を行う。放送録画装置１２から番組ファイルを受信した場合、ステップＳＴＳＳ８〜１７の処理を行う。
【００３８】
ＮＡＳ受信部４１は、放送受信装置１１が送信した分割パケットを受信する（ステップＳＴＳＳ２）。なお、最初の分割パケットについては、最初に受信したものを使用する。分割パケットがＤＴＣＰ−ＩＰ規格等で暗号化されていれば、復号する。暗号化部４３は、分割パケットを暗号化（ローカル暗号化）して暗号化分割パケットを生成する（ステップＳＴＳＳ３）。管理情報管理部５３は、各暗号化分割パケットに管理情報を付す（ステップＳＴＳＳ４）。管理情報には、例えば、対応する暗号化分割パケットが有効か無効かを示す情報、暗号化分割パケットに含まれるＰＣＲの値、保存時のファイル名、オフセット値（バイト単位）などが含まれる。記憶部４５は、暗号化分割パケットと管理情報を対応して記憶する（ステップＳＴＳＳ５）。ここで、記憶部４５は、暗号化分割パケットを個々にファイル化して記憶するが、他の装置に対しては、一つの番組に含まれる複数の暗号化分割パケットをまとめて、これらの暗号化分割パケットを一つのコンテンツとして処理できるように管理する。例えば、他の装置が、記憶部４５の番組の一つについて、記憶領域を移動させたり、記憶領域から消去したりする場合には、他の装置は、個々の暗号化分割パケットを移動させたり消去したりする必要はなく、当該番組を移動させたり消去したりするコマンドを与えれば、ＮＡＳ１３において、当該番組に含まれる個々の暗号化分割パケットを移動させたり消去したりすることにより、当該番組を移動させたり消去したりする。ＮＡＳ送信部４９は、ＢＣ通信部２５との間でムーブのコミットメント処理を行う（ステップＳＴＳＳ６。図２のステップＳＴＳＲ７参照。）。ＮＡＳ受信部４１は、受信が終了したか否かを判断する（ステップＳＴＳＳ７）。受信が終了していなければステップＳＴＳＳ２に戻る。受信が終了すれば、処理を終了する。
【００３９】
ＮＡＳ受信部４１は、受信した番組ファイルに含まれるＴＳパケットを解析する（ステップＳＴＳＳ８）。続いて、受信が終了したか否かを判断する（ステップＳＴＳＳ９）。終了していない場合にはステップＳＴＳＳ１０〜１４の処理を行う。終了した場合には、ステップＳＴＳＳ１５〜１７の処理を行う。
【００４０】
ステップＳＴＳＳ１０において、暗号化部４３は、ビデオパケットか否かの判断を行う。ビデオパケットでなければステップＳＴＳＳ８の処理に戻る。ビデオパケットであれば、フレームの先頭か否かを判断する（ステップＳＴＳＳ１１）。フレームの先頭でなければ、ステップＳＴＳＳ８に戻る。フレームの先頭であれば、直前に分割パケットを作ってから当該パケットの直前までのＴＳパケットのうちＰＣＲを含むものの個数が所定の個数以上であるか否かを判断する（ステップＳＴＳＳ１２）。分割パケットを作っていないのでれば最初のＴＳパケットから当該パケットの直前までのＴＳパケットのうちＰＣＲを含むものの個数で判断する。所定の個数未満であれば、ステップＳＴＳＳ８に戻る。所定の個数以上であれば、ＴＳパケットをまとめて分割パケットとし（ステップＳＴＳＳ１３）、暗号化して暗号化分割パケット（ステップＳＴＳＳ１４）とする。そして、ステップＳＴＳＳ８に戻る。
【００４１】
ステップＳＴＳＳ１５において、管理情報管理部５３は、各暗号化分割パケットに管理情報を付与する。なお、ＴＳパケットに分割パケットに含まれていないパケットが存在する場合には、それらを分割パケットにして、暗号化して管理情報を付与する。そして、記憶部４５は、暗号化分割パケットを記憶する（ステップＳＴＳＳ１６）。ＮＡＳ送信部４９は、ＲＥ通信部２８との間でムーブのコミットメント処理を行う（ステップＳＴＳＳ１７）。ＲＥ通信部２８は、ムーブのコミットメント処理をすると、ＮＡＳ１３が記憶した番組ファイルを削除する。
【００４２】
続いて、図５及び６を参照して、ＮＡＳ１３が記憶する番組の再生処理の一例について説明する。図５及び６は、それぞれ、番組再生時の再生装置１５及びＮＡＳ１３の動作の一例を示す図である。
【００４３】
視聴者が再生入力部３９を操作してコンテンツ表示を指示すると、再生装置１５は、再生表示部６３にＮＡＳ１３が記憶する番組を表示する（図５のステップＳＴＰＰ１）。例えば、視聴者がコンテンツ表示を指示すると、再生送信部３７は、ＮＡＳ１３に対して記録するコンテンツを知らせるように通知する。ＮＡＳ受信部４１が通知を受けると、ＮＡＳ送信部４９は、再生装置に対し、記憶部４５に記憶されている番組を通知する。ここで通知される番組は、暗号化分割パケットを単位とするものではなく、デジタル放送における番組に含まれる複数の暗号化分割パケットを単位として通知する。再生受信部３１が通知を受けると、再生表示制御部３５は、再生表示部６３にＮＡＳ１３が記憶する番組の一覧を表示する。
【００４４】
視聴者は、再生入力部３９に対して、表示された番組の一覧から一つの番組を選択して、当該番組の再生を指示する（図５のステップＳＴＰＰ２）。なお、途中まで視聴していた場合には、途中から再生するようにしてもよい。再生送信部３７は、ＮＡＳ１３に対して、再生する番組と再生開始時間等の情報を含む再生コマンドを送信する（図５のステップＳＴＰＰ３）。
【００４５】
ＮＡＳ受信部４１は、再生コマンドを受信する（図６のステップＳＴＰＳ１）。そして、再生する番組と再生開始時刻から、最初に再生する暗号化分割パケットを特定する（図６のステップＳＴＰＳ２）。この特定処理は、分割パケットにより予め分割されているため、迅速に実現することが可能である。復号部４７は、当該暗号化分割パケットに対応する管理情報を取得し（図６のステップＳＴＰＳ３）、管理情報において、対応する当該暗号化分割パケットが有効か否かを判断する（図６のステップＳＴＰＳ４）。有効である場合には、暗号化分割パケットを復号し（図６のステップＳＴＰＳ５）、ＮＡＳ送信部４９は、当該暗号化分割パケットに含まれるＴＳパケットを再生パケットとして、再生装置１５に順に送信する（図６のステップＳＴＰＳ６）。ここで、ＮＡＳ送信部４９は、例えばＤＴＣＰ−ＩＰ規格等を用いて暗号化した状態で再生パケットを送信してもよい。復号部４７は、番組が終了したか否かを判断し（図６のステップＳＴＰＳ７）、終了した場合には、処理を終了する。ステップＳＴＰＳ４において有効でなかった場合、及び、ステップＳＴＰＳ７において番組が終了していない場合には、次の暗号化分割パケットを特定し（図６のステップＳＴＰＳ８）、ステップＳＴＰＳ３に戻る。
【００４６】
再生装置１５の再生受信部３１は、ＮＡＳ１３から送信された再生パケットを受信する（図５のステップＳＴＰＰ４）。再生受信部３１は、再生パケットがＤＴＣＰ−ＩＰ規格等を用いて暗号化されている場合には、復号する。再生部３３は、再生表示部６３に、受信した再生パケットを順に再生する（図５のステップＳＴＰＰ５）。ステップＳＴＰＰ４及びＳＴＰＰ５の処理は、番組が終了するまで継続し、番組が終了すると処理を終了する（図５のステップＳＴＰＰ６）。このように、再生装置１５は、ＤＴＣＰ−ＩＰ及びＤＬＮＡに対応していれば、再生することができる。なお、再生処理は、視聴者の操作により番組の途中で終了してもよい。
【００４７】
なお、各分割パケットは、個々に再生しても乱れるものではなく、独立して再生可能なものである。そして、ＮＡＳ１３は、各分割パケットを個別にファイル化して保存する。そのため、各分割パケットは、背景技術の番組と同様に捉えることができる。よって、ＮＡＳ１３が、デジタル放送の番組としては一部を記録しており、残りの部分を記録する途中であっても、既に受信した個々の分割パケットとしては再生可能な状態である。そのため、再生装置１５が、既に受信した分割パケットを再生することにより、疑似的なライブ配信を実現することが可能となる。
【００４８】
続いて、図７及び８を参照して、編集処理の一例を説明する。図７は、編集処理の一例を示すフロー図である。
【００４９】
利用者が編集入力部６１を操作してコンテンツ表示を指示すると、編集装置１７の編集表示制御部５９は、編集表示部６５にＮＡＳ１３が記憶する番組の一覧を表示する（ステップＳＴＥ１）。これは、再生装置１５による場合と同様の処理により実現することができる。
【００５０】
利用者が番組の一つを指定すると、編集送信部５５は、ＮＡＳ１３に対して当該番組を特定する情報を通知する。ＮＡＳ１３は、編集装置１７に対して、少なくとも、指定された番組に含まれる暗号化分割パケットに対応する管理情報を送信する。プレビュー機能などを実現する際には、例えば、その都度、ＮＡＳ１３から読み出して実現すればよい。編集受信部５７が管理情報を受信すると、編集表示制御部５９は、指定された番組に含まれる暗号化分割パケットの管理情報に含まれる有効か無効かを示す情報に基づいて、時系列に沿って有効な部分と無効な部分を表示する。利用者は、有効な部分を無効にしたり、無効な部分を有効にしたりして編集作業を行う（ステップＳＴＥ２）。ここで、例えば音声がステレオとモノラルが変更になるような場合には、ＣＭ等が挿入されている可能性がある。そのため、編集対象とすべき部分の候補として表示するようにしてもよい。また、利用者は、複数の暗号化分割パケットを一度に有効化／無効化する場合と、個々の暗号化分割パケットを有効化／無効化する場合を指定できるようにしてもよい。
【００５１】
編集作業が終了すると、編集送信部５５は、ＮＡＳ１３に対して、有効と無効が変化した暗号化分割パケットを特定する情報を含む編集コマンドを送信する（ステップＳＴＥ３）。ＮＡＳ受信部４１が編集コマンドを受信すると、編集部５１は、暗号化分割パケットに対応する管理情報において、有効／無効の情報を変更する（ステップＳＴＥ５）。
【００５２】
図８は、編集と再生の概要を示す図である。編集時には、記憶する番組が時系列に沿って表示される。個々の分割パケットは、利用者により要否の指定をすることができる。例えばＣＭカット編集の場合には、本編は必要であるとして○が付せられており、ＣＭ部分については必要がないとして×印が付せられている。ＮＡＳ１３において、暗号化分割パケットに対応する管理情報は、○に対応するものは有効という情報とし、×に対応するものは無効という情報とする。再生時（視聴時）には、無効の部分であるＣＭを再生せず、有効の部分である本編を再生することにより、ＣＭカットが実現される。
【００５３】
なお、例えば放送受信装置１１とＮＡＳ１３を一体の装置として実現してもよい。この場合、放送受信装置１１とＮＡＳ１３の間の通信は、ＤＴＣＰ−ＩＰ規格等を用いて暗号化する必要はない。また、再生装置１５や編集装置１７も、一体の装置として実現してもよい。
【００５４】
また、記憶部４５は、例えば、複数の分割パケットを集約して記憶してもよい。
【符号の説明】
【００５５】
１  デジタル放送記録システム、３  放送局、５  再生用表示装置、７  編集用表示装置、１１  放送受信装置、１２  放送録画装置、１３  ＮＡＳ、１５  再生装置、１７  編集装置、２１  放送受信部、２３  分割部、２５  ＢＣ通信部、２６  ＲＥ放送受信部、２７  録画部、２８  ＲＥ通信部、３１  再生受信部、３３  再生部、３５  再生表示制御部、３７  再生送信部、３９  再生入力部、４１  ＮＡＳ受信部、４３  暗号化部、４５  記憶部、４７  復号部、４９  ＮＡＳ送信部、５１  編集部、５３  管理情報管理部、５５  編集送信部、５７  編集受信部、５９  編集表示制御部、６１  編集入力部、６３  再生表示部、６５  編集表示部
【図１】
2015109616.tif 000003
【図２】
2015109616.tif 000004
【図３】
2015109616.tif 000005
【図４】
2015109616.tif 000006
【図５】
2015109616.tif 000007
【図６】
2015109616.tif 000008
【図７】
2015109616.tif 000009
【図８】
2015109616.tif 000010